(57)【要約】      （修正有）【課題】専用の給水容器を使用して洗浄に最適な冷水および温水を使用して快適な洗浄が可能となるとともに、市販の飲料用ボトルを直接結合して使用することにより、給水タンクへの洗浄水の充填の手間を省くことができる、使用範囲の拡大と使い勝手を向上した携帯用衛生洗浄装置を提供する。【解決手段】少なくとも洗浄水供給手段を内蔵した本体１００と、洗浄水を噴出する洗浄ノズル２００と、洗浄水を貯溜する給水タンクと、本体１００と標準飲料用ボトル４００とを仲介して結合する標準アダプタ５００とを含み、本体１００は給水タンクを直接結合可能であるとともに、標準アダプタ５００を介して標準飲料用ボトル４００が結合可能な携帯用衛生洗浄装置。【選択図】図６
2014151097.tif 000002
【特許請求の範囲】
【請求項１】
少なくとも洗浄水供給手段を内蔵した本体と、
洗浄水を噴出する洗浄ノズルと、
洗浄水を貯溜する給水タンクと、
前記本体と、標準飲料用ボトルと、を仲介して結合する標準アダプタと、を含み、
前記本体は、前記給水タンクを直接結合可能であるとともに、前記標準アダプタを介して前記標準飲料用ボトルが結合可能なことを特徴とする、
携帯用衛生洗浄装置。
【請求項２】
前記標準アダプタと、特殊飲料用ボトルと、を仲介して結合する補助アダプタを、さらに備え、
前記本体は、前記標準アダプタと前記補助アダプタを介して特殊飲料用ボトルが結合可能なことを特徴とする、
請求項１に記載の携帯用衛生洗浄装置。
【請求項３】
前記補助アダプタは、前記標準アダプタの内部に収納可能な構成の、
請求項２に記載の携帯用衛生洗浄装置。
【発明の詳細な説明】
【技術分野】
【０００１】
本発明は、専用容器と市販の飲料水容器を給水容器として使用可能な携帯用衛生洗浄装置に関するものである。
【背景技術】
【０００２】
従来、この種の携帯用衛生洗浄装置は、洗浄機能を内蔵した本体１の前端部に洗浄ノズル２を備え、洗浄水を貯溜する給水容器としては、本体１の略全体を収納可能な専用の給水タンク３を本体１の後端部に摺動自在に備え、非使用時には本体１と洗浄ノズル２を給水タンク３内に収納し、使用時は給水タンク３から本体を引出し、給水タンク３に洗浄水を充填して局部洗浄に使用している（例えば、特許文献１参照）。
【０００３】
図１４は、特許文献１に記載された従来の携帯用衛生洗浄装置の断面図を示すものである。図１４に示すように、ポンプ、モータ、電池等で構成する洗浄機能を内蔵した略円筒形状の本体１の前端部には矢印Ｙ１示す方向に回動自在な洗浄ノズル２が配置されており、使用時な図に示すように本体の前端に突出させ、非使用時には本体１のノズル収納部１ａに収納可能な構成となっている。本体１の後端部には本体１より僅かに大きい外径のカップ状の給水タンク３が設置されており、給水タンク３の後端部には洗浄水を充填する給水口３ａおよび給水蓋３ｂ設置されている。本体１と給水タンク３との接続部となる本体１の外周にはパッキン１ｂが設置されており、本体１と給水タンク３とは矢印Ｙ２の方向に摺動自在で、かつ水密状態が維持される構成となっている。
【０００４】
また、別の携帯用衛生洗浄装置の本体と給水容器との連結構造としては、本体１の後端部に拡径可能な弾性体４を備えた連結部５を設け、連結部を市販のペットボトル６の口栓部６ａに挿入して結合することにより、市販のペットボトルを給水容器として使用しているものもある（例えば、特許文献２参照）。
【０００５】
図１５は、特許文献２に記載された従来の携帯用衛生洗浄装置の断面図である。図１５に示すように、本体１の後端部には連結部５が形成されており、連結部５の外周には弾性体４が巻設されている。連結部５をペットボトル６の口栓部６ａに挿入し、連結部５を上方に移動させることにより弾性体４が圧縮および拡径することにより、連結部５とペットボトル６が水密状態で結合される構成となっている。
【０００６】
また、別の携帯用衛生洗浄装置の本体と給水容器との連結構造としては、本体１の後端部に設けた連結部５とペットボトル６とをアダプタ部材７を介して結合し、市販のペットボトルを給水容器とし使用しているものもある（例えば、特許文献３参照）。
【０００７】
図１６は、特許文献３に記載された従来の携帯用衛生洗浄装置を示すものである。図１６に示すように、本体１の後端部には外周に雄ねじを形成した連結部５が設けられており、連結部５の雄ねじとペットボトル６の口栓部６ａの雄ねじにそれぞれ対応する雌ねじが形成されたアダプタ部材７が別途準備されており、本体１とペットボトル６はアダプタ部材７を介して結合可能に構成されている。
【先行技術文献】
【特許文献】
【０００８】
【特許文献１】特許第２４８８３５６号公報
【特許文献２】特許第４５３３９１４号公報
【特許文献３】特許第４６０４０６０号公報
【発明の概要】
【発明が解決しようとする課題】
【０００９】
しかしながら、特許文献１に記載された構成では、携帯用衛生洗浄装置を使用する場合には、必ず専用の給水容器に洗浄水を充填して使用することが必須であり、使用時に充填の手間が掛かるとともに、洗浄水が専用の給水容器の容量に限定されるため、洗浄水の量が不十分な場合や、連続して使用することができない等の解決すべき点を有していた。
【００１０】
また、引用文献２に記載された構成では、ペットボトルの水を洗浄水として直接使用する構成であるため、洗浄水としては基本的には冷水を使用することとなり、洗浄に快適な温水を使用することができないため、寒冷地や冬季等は使用しにくい場合があるとともに、ペットボトルには給水口の内径が異なるものもあり、携帯用衛生洗浄装置の給水容器として適合できないものもある。特に、旅行先等で対応可能なペットボトルが入手できないため携帯用衛生洗浄装置が使用できないことが想定されるものである。
【００１１】
また、引用文献３に記載された構成では、引用文献２と同様に、ペットボトルのみを給水容器として使用する構成であり、基本的には冷水のみを洗浄水として使用し、洗浄に快適な温水を使用することができない構成であるとともに、アダプタ部材はペットボトルを結合するためには必須であり、常時携帯することが必須であり、例えばアダプタ部材を紛失した場合には携帯用衛生洗浄装置が使用できない。しかも、アダプタ部材とペットボトルのねじの径が合致しなければ使用することができないため、引用文献２の場合と同様に、対応可能なペットボトルが入手できないため携帯用衛生洗浄装置が使用できないことが想定されるものである。
【００１２】
上記のように、従来の携帯用衛生洗浄装置では、使い勝手という観点からは未だ改善の余地があった。
【００１３】
本発明は、前記従来の課題を解決するもので、専用の給水容器を使用し、冷水および温水を使用してどのような場所でも快適な洗浄を可能とするとともに、市販のペットボトル等の飲料用ボトルも使用可能な構成とすることにより、温水が入手できない旅先や緊急時に市販の飲料用ボトルを直接結合して使用可能な構成とし、使用範囲の拡大と使い勝手を向上した携帯用衛生洗浄装置を提供することを目的とする。
【課題を解決するための手段】
【００１４】
前記従来の課題を解決するために、本発明の携帯用衛生洗浄装置は、少なくとも洗浄水供給手段を内蔵した本体と、洗浄水を噴出する洗浄ノズルと、洗浄水を貯溜する給水タンクと、本体と標準飲料用ボトルとを仲介して結合する標準アダプタとを含み、本体は、給水タンクを直接結合可能であるとともに、標準アダプタを介して標準飲料用ボトルが結合可能なことを特徴とするものである。
【００１５】
これにより、専用の給水タンクと市販の標準飲料用ボトルの両方を洗浄水の給水容器として本体に結合して使用することが可能となり、専用の給水容器を使用して洗浄に最適な冷水および温水を使用して快適な洗浄が可能となるとともに、外出先等で容易に入手できる市販の飲料用ボトルを直接結合して使用することにより、給水タンクへの洗浄水の充填の手間を省くことができるとともに、洗浄作業の時間を短縮することが可能となり、使用範囲の拡大と使い勝手の向上を図ることができる。
【発明の効果】
【００１６】
本発明の携帯用衛生洗浄装置は、使用範囲の拡大と使い勝手を向上することができる。
【図面の簡単な説明】
【００１７】
【図１】本発明の実施の形態１における携帯用衛生洗浄装置に給水タンクを取り付けた標準的な使用状態を示す斜視図
【図２】同携帯用衛生洗浄装置の本体と洗浄ノズルの外観を示す斜視図
【図３】同携帯用衛生洗浄装置の給水タンクを使用する場合を示す分解斜視図
【図４】図３に示すＡ部の詳細斜視図
【図５】（ａ）は標準アダプタの大口径側からの斜視図、（ｂ）は標準アダプタの小口径側からの斜視図
【図６】同携帯用衛生洗浄装置に標準アダプタと標準飲料ボトルを使用する場合を示す分解斜視図
【図７】同携帯用衛生洗浄装置に標準アダプタと標準飲料ボトルを使用する場合を示す断面図
【図８】図７に示すＢ部の詳細断面図
【図９】補助アダプタの斜視図
【図１０】同携帯用衛生洗浄装置に標準アダプタと補助アダプタと特殊飲料ボトルを使用する場合を示す分解斜視図
【図１１】同携帯用衛生洗浄装置に標準アダプタと補助アダプタと特殊飲料ボトルを使用する場合を示す断面図
【図１２】図１１に示すＣ部の詳細断面図
【図１３】標準アダプタと補助アダプタとの収納状態を示す断面図
【図１４】特許文献１に記載された従来の携帯用衛生洗浄装置の断面図
【図１５】特許文献２に記載された従来の携帯用衛生洗浄装置の結合部の分解状態を示す斜視図
【図１６】特許文献３に記載された従来の携帯用衛生洗浄装置の結合部の分解状態を示す断面図
【発明を実施するための形態】
【００１８】
第１の発明は、少なくとも洗浄水供給手段を内蔵した本体と、洗浄水を噴出する洗浄ノズルと、洗浄水を貯溜する給水タンクと、前記本体と、標準飲料用ボトルと、を仲介して結合する標準アダプタとを含み、前記本体は、前記給水タンクを直接結合可能であるとともに、前記標準アダプタを介して前記標準飲料用ボトルが結合可能なことを特徴とする携帯用衛生洗浄装置である。
【００１９】
これにより、専用の給水タンクと市販の標準飲料用ボトルの両方を洗浄水の給水容器として本体に結合して使用することが可能となり、専用の給水容器を使用して洗浄に最適な冷水および温水を使用して快適な洗浄が可能となるとともに、外出先等で容易に入手できる市販の飲料用ボトルを直接結合して使用することにより、給水タンクへの洗浄水の充填の手間を省くことができるとともに、洗浄作業の時間を短縮することが可能となり、使用範囲の拡大と使い勝手の向上を図ることができる。
【００２０】
第２の発明は、特に、第１の発明において、前記標準アダプタと、特殊飲料用ボトルと、を仲介して結合する補助アダプタをさらに備え、前記本体は、前記標準アダプタと前記補助アダプタを介して特殊飲料用ボトルが結合可能なことを特徴とするものである。
【００２１】
これにより、特定の国や地域に限定されず広い地域で飲料用ボトルを給水容器として使用することが可能となり、使用範囲をより拡大することができる。
【００２２】
第３の発明は、特に、第２の発明において、前記補助アダプタは、前記標準アダプタの内部に収納可能な構成としたものである。
【００２３】
これにより、携帯時における容積を小さくすることができ、より使い勝手が向上することができる。
【００２４】
以下、本発明の実施の形態について、図面を参照しながら説明する。なお、この実施の形態によって本発明が限定されるものではない。
【００２５】
（実施の形態１）
図１は本発明の実施の形態における携帯用衛生洗浄装置に給水タンクを取り付けた標準的な使用状態を示す斜視図であり、図２は同携帯用衛生洗浄装置の本体と洗浄ノズルの外観を示す斜視図であり、図３は携帯用衛生洗浄装置の給水タンクを使用する場合を示す分解斜視図であり、図４は図３に示すＡ部の詳細を示す斜視図である。
【００２６】
＜１＞携帯用衛生洗浄装置の構成
図１に示すように、本実施の形態における携帯用衛生洗浄装置の標準的な使用状態における構成は、略円筒形の本体１００と、本体１００の前端部に取り付けられた洗浄ノズル２００と、本体１００の後端部に結合可能な給水タンク３００とを主構成部材として構成されている。
【００２７】
なお、本実施の形態においては、本体１００の洗浄ノズルが取り付けられている側を前方とし、反対側を後方として各構成要素の配置を説明する。
【００２８】
本体１００は樹脂材料で成型された略円筒形の本体ケースの内部に、電動の給水ポンプ（図示せず）を主構成部材とする洗浄水供給手段（図示せず）と、洗浄水供給手段を制御する制御手段（図示せず）と、洗浄水供給手段と制御手段の駆動源となる電池（図示せず）が内蔵されている。
【００２９】
本体１００の前端部１０１には洗浄ノズル２００が回動自在に設置されている。洗浄ノズル２００は図２に示すように、本体１００の前端部１０１より突出した洗浄位置と、本体１００の外周面に形成された収納溝１０２に収納された収納位置との間を図の矢印Ｙ３で示すように回動自在な構成となっている。
【００３０】
洗浄ノズル２００は、元の部分を構成するパイプ部２１０と、パイプ部２１０の先端部に着脱自在に取り付けられたノズル部２２０との２個の部品で構成されている。パイプ部２１０は樹脂材料で略円筒状に成型されたものであり、内部に洗浄水を送給する流路（図示せず）が形成されており、本体１００内の洗浄水供給手段から供給された洗浄水をノズル部２２０に送給する。
【００３１】
ノズル部２２０は樹脂材料で成型されたものであり、先端が密閉されており、外周面の先端近傍に複数の噴出口２２１が開口しており、本体１００の洗浄水供給手段からパイプ部２１０を介して供給された洗浄水を洗浄ノズル２００の軸方向に対して略直角方向に噴出する。
【００３２】
なお、図に示すノズル部２２０は、標準タイプのものであり、５個の噴出口２２１が形成されているが、本実施の形態の携帯用衛生洗浄装置には標準タイプとは別にソフトタイプのノズル部（図示せず）が付属品として用意されている。ソフトタイプのノズル部は標準タイプより多い７個の噴出口が形成されており、噴出する水流が弱くなるため、ソフトな洗浄が可能となるものである。ノズル部２２０は使用者の選択により自由に交換することができる。
【００３３】
本体１００の外周面には携帯用衛生洗浄装置を操作するスイッチ１１０が設置されてお
り、スイッチ１１０は強い水流を噴出する強スイッチ１１１と弱い水流を噴出する弱スイッチ１１２の２つのスイッチが設置されている。スイッチ１１０を押圧することにより洗浄水供給手段が駆動して噴出口２２１から洗浄水が噴出を開始し、再度押圧することにより停止する。
【００３４】
また、強スイッチ１１１を押圧して洗浄を開始した場合は、最初の約２秒間は弱い水流が噴出するように設定されており、この間に洗浄位置を調整することができるように配慮されている。
【００３５】
本体１００の後端近傍の外周面には、本体１００に給水タンク３００を結合する結合手段の本体１００側の構成である結合部１２０が形成されている。
【００３６】
結合部１２０の構成は、本体１００の後端近傍の全周に亘り凹陥したパッキン溝１２１が一体に形成されており、パッキン溝１２１にはゴム製のＯリング１２２が設置されている。また、パッキン溝１２１の前方には、対向する２箇所に略角柱形の係合突起１２３が形成されている。係合突起１２３は給水タンク３００の本体１００への取り付けを固定するものである。
【００３７】
本体１００の後端面１０３には、電池（図示せず）を本体１００に装着するための電池蓋１３０が配置されている。電池蓋１３０は外周に形成されたねじにより本体１００に螺合させる構成となっている。
【００３８】
また、本体１００の後端面１０３には、給水タンク３００の洗浄水を本体１００に給水する給水口１０４が形成されており、給水口１０４には洗浄水に含まれるごみ等を排除するストレーナ１４０が設置されている。
【００３９】
また、本体１００の後端面１０３には、給水タンク３００に空気を送給する空気供給口１０５が設置されている。空気供給口１０５は本体１００の前端部１０１で吸気した空気を給水タンク３００に送給することにより、給水タンク３００に貯溜した洗浄水と置換して洗浄水が本体１００の洗浄水供給手段に送給されるためのものである。
【００４０】
給水タンク３００は樹脂材料で成型されたカップ状の容器である。図４に示すように、開口部３０１近傍の内周面の対向する２箇所には略Ｌ字形状に凹陥した係合溝３０２が形成されており、係合溝３０２の一端は開口端面に開放されている。
【００４１】
係合溝３０２は結合手段の給水タンク３００側の構成部材であり、図１に示すように給水タンク３００を本体１００に結合する場合、係合溝３０２の開放された端部を本体１００の係合突起１２３に合わせて、給水タンク３００を押し込み、給水タンク３００を右に回転させることにより、係合突起１２３が係合溝３０２の奥に配置され、給水タンク３００が容易に脱落しないように固定される。
【００４２】
また、図１に示すように給水タンク３００を本体１００に結合した状態では、給水タンク３００の開口部３０１近傍の内周面は本体１００に設置されたＯリング１２２に圧接した状態となり、給水タンク３００を本体１００とは水密状態で結合される。
【００４３】
また、本実施の形態の携帯用衛生洗浄装置は、給水タンク３００を本体１００から取り外し、洗浄ノズル２００を収納溝１０２に収納した状態で、本体１００の前端部１０１側から給水タンク３００に挿入することにより、本体１００の略全体を給水タンク３００内に収納することが可能構成となっており、給水タンク３００の外形に近い寸法で携帯することができる。
【００４４】
＜２＞標準アダプタの構成
図５（ａ）は標準アダプタの大口径側からの斜視図を示し、（ｂ）は標準アダプタの小口径側からの斜視図を示し、図６は標準アダプタと標準飲料ボトルを使用する場合を示す分解斜視図であり、図７は標準アダプタと標準飲料ボトルを使用する場合を示す断面図であり、図８は図７に示すＢ部の詳細断面図である。
【００４５】
本実施の形態の携帯用衛生洗浄装置は給水容器として付属の給水タンク３００を使用するのに加え、口栓部にねじ径２８ｍｍの１条ねじが形成されている市販の標準飲料用ボトル４００を給水容器として使用することが可能な構成となっている。
【００４６】
図６および図７に示すように、標準飲料用ボトル４００は標準アダプタ５００を介して本体１００に結合することが可能な構成となっている。
【００４７】
図５（ａ）および（ｂ）に示すように、標準アダプタ５００は、樹脂材料で大径部５１０と小径部５２０が一体に形成されている。大径部５１０の内径は給水タンク３００の開口部３０１の内径と同一寸法であり、大径部５１０の内周面には給水タンク３００の内周面と同様に、対向する２箇所には略Ｌ字形状に凹陥した係合溝５１１が形成されており、係合溝５１１の一端は大径部５１０端面に開放されている。
【００４８】
小径部５２０の内径は市販の標準飲料用ボトル４００の蓋の内径と同寸法であり、標準飲料用ボトル４００の口栓部に適応するねじ径２８ｍｍの１条の雌ねじが形成されている。また、小径部５２０の外周面には全周に亘り凹陥したパッキン溝５２１が一体に形成されており、パッキン溝５２１にはゴム製のＯリング５０１が設置されている。
【００４９】
また、図５（ｂ）に示すように、パッキン溝５２１の後方には、対向する２箇所に凹陥した係合溝５２２が形成されている。係合溝５２２は、一端が小径部５２０の開口端に開放され、開口端に対して垂直方向に形成された入口部５２２ａと、入口部５２２ａに連続して形成された傾斜部５２２ｂと、傾斜部５２２ｂに連続して形成され、開口端と平行な奥部５２２ｃで形成されている。係合溝５２２は標準アダプタ５００に後述の補助アダプタ７００を係合させるものである。
【００５０】
標準飲料用ボトル４００を標準アダプタ５００を介して本体１００に結合する場合は、給水タンク３００を本体に結合する場合と同様に、まず、標準アダプタ５００の係合溝５１１の開放された端部を本体１００の係合突起１２３に合わせて、標準アダプタ５００を押し込み、標準アダプタ５００を右に回転させることにより、係合突起１２３が係合溝５１１の奥に配置され、標準アダプタ５００が容易に脱落しないように固定される。
【００５１】
次に、標準アダプタ５００の小径部５２０に標準飲料用ボトル４００の口栓部４０１をねじ込むことにより、本体１００と標準アダプタ５００と標準飲料用ボトル４００とは水密状態で結合される。
【００５２】
＜３＞補助アダプタの構成
図９は補助アダプタの斜視図を示し、図１０は携帯用衛生洗浄装置に標準アダプタと補助アダプタと特殊飲料ボトルを使用する場合を示す分解斜視図であり、図１１は同携帯用衛生洗浄装置に標準アダプタと補助アダプタと特殊飲料ボトルを使用する場合を示す断面図であり、図１２は図１１に示すＣ部の詳細断面図であり、図１３は標準アダプタと補助アダプタの収納状態を示す断面図である。
【００５３】
上記の標準飲料用ボトル４００の口栓部４０１に採用されているねじ径２８ｍｍの１条
ねじは、ＩＳＯおよびＪＩＳ等の公的な規格により規定されているものではなく、日本国内の業界標準として採用されているものであり、国内で生産および販売されている多くの飲料用ボトルは適応しているが、特に海外で生産された飲料用ボトルは標準アダプタ５００では対応できないものもある。
【００５４】
本実施の形態の携帯用衛生洗浄装置は給水容器として、主に海外で生産された特殊飲料用ボトル６００を給水容器として使用することを可能とするために補助アダプタを付属品として準備している。
【００５５】
図１０および図１１に示すように、特殊飲料用ボトル６００を使用する場合は、補助アダプタ７００と標準アダプタ５００を介して本体１００に結合する構成となっている。
【００５６】
補助アダプタ７００を使用する場合の標準アダプタ５００は前記の構成と全く同じものである。
【００５７】
図９に示すように、補助アダプタ７００は、樹脂材料で大径部７１０と小径部７２０が一体に形成されている。大径部７１０の内径は標準アダプタ５００の小径部５２０の外径より僅かに大きい直径となっており、大径部７１０を標準アダプタ５００の小径部５２０に差し込んだ場合、小径部５２０の外周面に設けられたパッキン溝５２１に設置されたＯリング５０１により、標準アダプタ５００と補助アダプタ７００は水密状態で結合される構成となっている。
【００５８】
大径部７１０の内周面の対向する２箇所には、略菱形状の係合突起７１１が形成されている。係合突起７１１は標準アダプタ５００の係合溝５２２と係合して、補助アダプタ７００を標準アダプタ５００に固定するものである。
【００５９】
小径部５２０の内径は特殊飲料用ボトル６００の口栓部６０１に対応するものであり、ねじ径３０ｍｍの３条の雌ねじが形成されている。
【００６０】
特殊飲料用ボトル６００を本体１００に結合する場合は、まず、本体１００に標準アダプタ５００を結合し、次に、標準アダプタ５００の小径部５２０に補助アダプタ７００の大径部７１０を結合し、最後に、特殊飲料用ボトル６００を補助アダプタ７００の小径部７２０にねじ込むことにより、本体１００と標準アダプタ５００と補助アダプタ７００と特殊飲料用ボトル６００とは水密状態で結合される。
【００６１】
なお、図１３に示すように、補助アダプタ７００は標準アダプタ５００より外形が小さく、標準アダプタ５００の大径部５１０の内部に補助アダプタ７００のほとんどの部分を収納することが可能であり、携帯時の収納スペースを小さくすることができる。
【００６２】
＜４＞携帯用衛生洗浄装置の動作、作用
給水容器として、給水タンク３００、標準飲料用ボトル４００、特殊飲料用ボトル６００のいずれを使用する場合も、まず、給水容器に洗浄水を充填し上記各構成で説明したように電池を装着した本体１００に結合する。この状態で準備作業は完了である。
【００６３】
洗浄ノズル２００の噴出口２２１を局部に向けて配置し、スイッチ１１０（例えば強スイッチ１１１）を押すと、最初の約２秒間は弱い水流の洗浄水が噴出する、この状態で洗浄位置の調整を行い、約２秒後には強い水流に切り替わり本格的な洗浄を実施することができる。
【００６４】
スイッチ１１０を再度押すと洗浄水の噴出は停止する。洗浄後は使用した給水タンク３
００、標準飲料用ボトル４００、標準アダプタ５００、特殊飲料用ボトル６００、補助アダプタ７００等の部材を本体１００から取り外し、取り外した状態でスイッチ１１０を押して本体１００内部の残水を排出するとともに、給水タンク３００に残った水を捨てて拭き取り、本体１００を給水タンク３００に収容することにより、一連の洗浄動作が終了する。
【００６５】
上記のように、本実施の形態における携帯用衛生洗浄装置は、専用の給水タンクと、市販の標準飲料用ボトルと、市販の特殊飲料用ボトルの、いずれも洗浄水の給水容器として本体に結合して使用することが可能であり、広い範囲の使用条件および使用環境に対応して使用することが可能である。
【００６６】
特に、標準アダプタと補助アダプタを備え、標準的な口栓形状の飲料用ボトルに加え、特殊な口栓形状の飲料用ボトルの使用を可能としたことにより、特定の国や地域に限定されず広い地域で飲料用ボトルを給水容器として使用することが可能となり、広い範囲の旅行先等で使用することが可能である。
【００６７】
また、専用の給水タンクを使用しないで、市販の飲料用ボトルの水を直接使用可能としたことにより、給水タンクへの水の充填の手間を省くことができ、使い勝手を向上することができる。
【００６８】
一方、専用の給水タンク備えることにより、給水タンクを衛生洗浄に最適な材質および形状に形成することができるため、給水タンクを使用する場合は温水の使用、洗浄水への消毒剤および芳香剤等の添加が可能となり、より快適な洗浄を提供することができる。
【００６９】
また、給水タンクに本体とノズルを給納可能とし、標準アダプタの中に補助アダプタを収納可能としたことにより、携帯時における容積を小さくすることができ、より使い勝手が向上することができるものである。
【００７０】
なお、本実施の形態においては、標準アダプタの小径部は、ねじ径２８ｍｍの１条ねじの飲料用ボトルの口栓部に対応する仕様としたが、これに限るものではなく、携帯用衛生洗浄装置が使用される地域で一番多く使用されている飲料用ボトルの口栓部の仕様に対応する仕様とすればよい。
【００７１】
また、補助アダプタの小径部は、ねじ径３０ｍｍの３条ねじの飲料用ボトルの口栓部に対応する仕様としたが、これに限るものではなく、それ以外のねじ径に対応する仕様としてもよい。また、異なるねじ径に対応する複数の補助アダプタを付属品として準備してもよい。
【００７２】
また、本実施の形態においては、標準アダプタが対応する飲料用ボトルの口栓部より、補助アダプタが対応する飲料用ボトルの口栓部のねじ径が大きいものとしたが、これに限るものではなく、補助アダプタが対応する飲料用ボトルの口栓部のねじ径が小さいものでもよい。
【産業上の利用可能性】
【００７３】
以上のように、本発明にかかる携帯用衛生洗浄装置は、複数の種類の給水容器から給水可能となるので、給水器機能を備えた他の携帯用機器等の用途にも適用できる。
【符号の説明】
【００７４】
１００  本体
２００  洗浄ノズル
３００  給水タンク
４００  標準飲料用ボトル
５００  標準アダプタ
６００  特殊飲料用ボトル
７００  補助アダプタ
【図１】
2014151097.tif 000003
【図２】
2014151097.tif 000004
【図３】
2014151097.tif 000005
【図４】
2014151097.tif 000006
【図５】
2014151097.tif 000007
【図６】
2014151097.tif 000008
【図７】
2014151097.tif 000009
【図８】
2014151097.tif 000010
【図９】
2014151097.tif 000011
【図１０】
2014151097.tif 000012
【図１１】
2014151097.tif 000013
【図１２】
2014151097.tif 000014
【図１３】
2014151097.tif 000015
【図１４】
2014151097.tif 000016
【図１５】
2014151097.tif 000017
【図１６】
2014151097.tif 000018